(57)【特許請求の範囲】
【請求項１】
燃焼装置後流の燃焼排ガス中における前記燃焼排ガスの温度が３００〜１０００℃である領域の１箇所又は複数箇所に水素ガスを添加し、前記燃焼排ガス中に含まれる硫酸（Ｈ2 ＳＯ4 ）及び無水硫酸（ＳＯ3 ）を還元することを特徴とする燃焼排ガス中の硫酸及び無水硫酸の低減方法。
【発明の詳細な説明】
【０００１】
【発明の属する技術分野】
本発明は化石燃料を燃料とするボイラなどの燃焼装置の燃焼排ガス中に含まれる硫酸（Ｈ2 ＳＯ4 ）及び無水硫酸（ＳＯ3 ）を低減させる方法に関する。
【０００２】
【従来の技術】
図６に通常のボイラにおける燃焼排ガスの流れを示す系統図の１例を示す。図６においてバーナ(2)に供給された燃料は火炉(1)内で燃焼し、燃焼排ガスは再熱器、二次過熱器、及び後部煙道(4)内に設けられた一次過熱器、節炭器具などからなる熱交換器(3)を通って煙道(5)に送られ、脱硝用ＮＨ3 供給装置(10)からＮＨ3 を添加された後、脱硝触媒(6)で脱硝される。さらに、空気予熱器(7)で熱交換された燃焼排ガスは、電気集塵装置等で集塵された後、湿式脱硫装置(8)などで脱硫され、煙突(9)から大気中に放出される。なお、空気予熱器(7)の後流の集塵機、熱交換器などの詳細は記載を省略した。
このようなボイラ等の燃焼装置により硫黄（Ｓ）分を含有する化石燃料を燃焼させると、火炉(1)にて発生する燃焼排ガス中にはＳ分の燃焼によって生成した亜硫酸ガス（ＳＯ2 ）、亜硫酸ガスの一部が酸化されて生じた無水硫酸（ＳＯ3 ）、硫酸（Ｈ2 ＳＯ4 ）及び水蒸気（Ｈ2 Ｏ）などが含まれている。
これらのＳＯ3 、Ｈ2 Ｏ及びＨ2 ＳＯ4 はボイラ等の燃焼装置のガス流れ下流に設置された煙道(5)、空気予熱器(7)、煙突(9)等において、表面温度が酸露点以下になる低温部に高濃度Ｈ2 ＳＯ4 として凝縮付着し、低温腐食、灰付着等のトラブルの原因となる。
【０００３】
このような低温腐食、灰付着等のトラブルを防ぐためには、燃焼排ガス中のＨ2 ＳＯ4 及びＳＯ3 濃度を低減させて酸露点温度を低下させ、これによりＨ2 ＳＯ4 の凝縮量を低減させる対策が有効である。
この対策の一つとして、煙道内の燃焼排ガス中に炭酸カルシウム（ＣａＣＯ3 ）や消石灰（Ｃａ（ＯＨ）2 ）又は水酸化マグネシウム（Ｍｇ（ＯＨ）2 ）等の中和剤を添加して燃焼排ガス中のＨ2 ＳＯ4 及びＳＯ3 が気体で存在する間に中和除去し、酸露点温度を低下させ、Ｈ2 ＳＯ4 凝縮量を低減させる対策が試みられている（特開平９−７５６６１号公報、特開昭５８−３６６２３号公報など）。しかしこれ等の対策では、ガスとしてのＨ2 ＳＯ4 及びＳＯ3 の濃度が小さく、しかもＣａＣＯ3 など固体の中和剤との接触効率が悪いために十分な脱硫酸反応効率および中和剤の利用効率が得られない。また、中和剤のハンドリングを含めた操作上、装置上の問題や、中和後に生成する硫酸カルシウム（ＣａＳＯ4 ）、硫酸マグネシウム（ＭｇＳＯ4 ）などのダストの付着性を含めたその処理の問題等が未解決である。そして現状では、これらを総合した経済的なメリットが確定されていないことから、未だ実用化には至っていない。
【０００４】
【発明が解決しようとする課題】
燃焼排ガス中のＨ2 ＳＯ4 及びＳＯ3 の生成に起因するボイラ煙道、熱交換器、空気予熱器などボイラ後流の低温部への高濃度Ｈ2 ＳＯ4 の凝縮付着による低温腐食、灰付着などのトラブルを防止するために、煙道にＣａＣＯ3 等の固体のＳＯ3 中和剤を添加する場合、前記のように脱硫酸反応効率や中和剤の利用効率が低い、ＳＯ3 中和剤のハンドリング性が悪い、中和後生成するＣａＳＯ4 等のダストの処理が難しい、煙道内へダストが付着しトラブルの原因となるなどの問題がある。
本発明はこのような従来技術の問題点を解決し、燃焼ガス中に含まれるＨ2 ＳＯ4 及びＳＯ3 に起因する低温腐食、灰付着等のトラブルを防止することができ、操作も容易な、燃焼排ガス中の硫酸及び無水硫酸の低減方法を提供しようとするものである。
【０００５】
【課題を解決するための手段】
前記課題を解決する手段として、本発明は次の（１）の構成を有するものである。
（１）燃焼装置後流の燃焼排ガス中における前記燃焼排ガスの温度が３００〜１０００℃である領域の１箇所又は複数箇所に水素ガスを添加し、前記燃焼排ガス中に含まれる硫酸（Ｈ2ＳＯ4 ）及び無水硫酸（ＳＯ3 ）を還元することを特徴とする燃焼排ガス中の硫酸及び無水硫酸の低減方法。
【０００６】
本発明の方法においては、燃焼排ガス中にＳＯ3 低減剤として水素（Ｈ2）ガスを添加し、前記燃焼排ガス中に含まれるＨ2 ＳＯ4 及びＳＯ3 を還元してＨ2 ＳＯ3 及びＳＯ2 とすることにより、排ガス中のＨ2 ＳＯ4 及びＳＯ3 を低減させる。
【０００７】
Ｈ2ガスの添加量は、燃焼排ガスが通常のボイラ排ガスであればＨ2 ガス濃度で２０００ｐｐｍ以下、Ｈ2 ／ＳＯ3 モル比で１５以下で十分である。
【０００８】
ＳＯ3 低減剤であるＨ2ガスの添加位置は、燃焼装置後流の燃焼排ガス温度が３００〜１０００℃の範囲にある領域とするのが好ましい。その理由は、後述するようにこの温度範囲がＳＯ3 のＳＯ2 への還元反応、Ｈ2 ＳＯ4 のＨ2 ＳＯ3 への還元反応及びＳＯ3 生成の原因となる付着灰の触媒活性点への吸着酸素（Ｏ）の還元反応に好都合であるためである。また、ＳＯ3 低減剤の添加箇所は１箇所でもよいが、複数箇所に分けて添加することにより、還元反応をより効率的に進行させることができる。
【０００９】
図６のボイラにおける燃焼排ガスの流れを示す系統図において、二次過熱器の後流部分から空気予熱器７までの部分が、燃焼排ガス温度が大略３００〜１０００℃の範囲に相当し、ＳＯ3 低減剤の添加に好適な場所である。すなわち、ＳＯ3 低減剤であるＨ2 ガスの添加位置は、空気予熱器７の直前、ＮＨ3 脱硝装置６の直前、後部煙道４、火炉出口から後部煙道４の間などのいずれか一箇所又は任意の複数箇所とすればよい。
【００１０】
（作用）
ボイラ内の燃焼ガス中の硫黄（Ｓ）分は、酸化雰囲気において次のような化学反応をおこす。
【化１】
式(a)   Ｓ＋Ｏ2 →ＳＯ2             （１０００〜１４００℃）
式(b)   ＳＯ2 ＋１／２Ｏ2 →ＳＯ3   （３００〜１２００℃）
式(c)   ＳＯ3 ＋Ｈ2 Ｏ→Ｈ2 ＳＯ4   （４００℃以下）
【００１１】
燃料に含有されている硫黄（Ｓ）分はボイラ中での燃焼過程において式(a) の反応によって酸化され、燃焼排ガス中には主としてＳＯ2 として存在する。ボイラの下流で雰囲気温度が４００〜５００℃になると式(b) の化学平衡がＳＯ3 生成の方へ大きく移動し、ＳＯ3 が安定に生成するようになる。さらに雰囲気温度が４００℃以下になると、ＳＯ3 とＨ2 Ｏが式(c) のように反応してＨ2 ＳＯ4 ガスの生成が始まる。
【００１２】
このような燃焼排ガスの温度が３００から１０００℃の温度域に、Ｈ2 ガスを添加混合すると、Ｈ2 ガスは排ガス中のＨ2 ＳＯ4 及びＳＯ3 と式(d) 、式(e) のように反応してＨ2 ＳＯ4 はＨ2 ＳＯ3 に、ＳＯ3 はＳＯ2 に還元され、排ガス中のＨ2 ＳＯ4 及びＳＯ3 は低減される。また、ＳＯ3 は伝熱面の付着灰を触媒として式(f) の反応により生成するが、Ｈ2 ガスの添加により付着灰の触媒活性点の吸着酸素（Ｏ）が式(g) のように還元されるため、ＳＯ3 の生成速度は低減するので、ＳＯ3 の低減効果が一層増大する。
【００１３】
【化２】
式(d) ＳＯ3 ＋Ｈ2 →ＳＯ2 ＋Ｈ2 Ｏ    （２００〜１０００℃）
式(e) Ｈ2 ＳＯ4 ＋Ｈ2 →Ｈ2 ＳＯ3 ＋Ｈ2 Ｏ  （４００℃以下）
式(f) ＳＯ2 ＋（Ｏ）→ＳＯ3 ＋Ｈ2 Ｏ  （灰触媒：３００〜１０００℃）
式(g) Ｈ2 ＋（Ｏ）→Ｈ2 Ｏ            （灰触媒：３００〜１０００℃）
式(h) Ｈ2 ＋１／２・Ｏ2 →Ｈ2 Ｏ      （高温）
【００１４】
なお、燃焼排ガス中には多量のＯ2 があり、添加したＨ2 は式(h) のようにＯ2 と反応して消費されてしまう反応も生じる。これに対してＯ2 存在下で式(d) 、式(e) の反応が進行するのは、高温では式(h) の反応速度が速く、添加したＨ2 は直ちにＯ2 と反応してしまうが、１０００℃以下では式(h) の反応速度が遅くなり、添加したＨ2 は式(d) 、(e) 、(g) 、(h) の競争反応となり、式(d) 、(e) 、(g) の反応が式(h) の反応よりも速いので式(d) 、(e) 、(g) の反応が優先するためと考えられる。
【００１５】
【発明の実施の形態】
以下、本発明の実施の形態について図面に基づいて具体的に説明する。
図１は本発明の第１の実施態様に係る、ボイラにおける燃焼排ガスの流れを示す系統図である。図１において図６の従来例と異なる点は、煙道(5)内のＨ2 ＳＯ4 及びＳＯ3 の濃度が大きくなる空気予熱器(7)の前流、脱硝触媒(6)の後流にＨ2 ガスをＨ2 ＳＯ4 及びＳＯ3 の低減剤として添加するＳＯ3 低減剤供給装置(11)を設けた点である。ＳＯ3 低減剤供給装置(11)から燃焼排ガス中に添加混合されたＨ2 ガスは、排ガス温度が空気予熱器(7)の出口の温度まで下がる間に燃焼排ガス中のＨ2 ＳＯ4 及びＳＯ3 と反応し、Ｈ2 ＳＯ4 及びＳＯ3 を低減させる。
【００１６】
図２、図３及び図４は、それぞれ本発明の第２、第３及び第４の実施態様に係る、ボイラにおける燃焼排ガスの流れを示す系統図である。これらの実施態様では、ＳＯ3 低減剤供給装置(11)を、脱硝触媒(6)の直前の煙道(5)内、後部煙道(4)内及び火炉(1)の出口から後部煙道(4)までの間に、それぞれ設置している。
図５は本発明の第５の実施態様として複数箇所にＳＯ3 低減剤供給装置を設けた例であり、この例では３個のＳＯ3 低減剤供給装置Ａ（図の(11)）、Ｂ（図の(12)）及びＣ（図の(13)）を火炉(1)の出口から後部煙道(4)までの間、後部煙道(4)内及び空気予熱器(7)の前流で脱硝触媒(6)の後流の３箇所に設置している。
【００１７】
【実施例】
以下、図面を参照した実施例により本発明の効果を実証する。
（実施例１）
図７は、本発明の効果を確認する目的で構成したＳＯ3 低減反応試験装置Ｉの系統図であり、ＳＯ3 の低減剤としてＨ2 を用いている。試験ガスは、試験ガスボンベ１Ａからバルブ１Ｂ、流量計１Ｃを介して試験ガス供給ライン１へ、また、ＳＯ3 の低減剤としてのＨ2 は、Ｈ2 添加ガスボンベ１Ｄからバルブ１Ｅ、流量計１Ｆを介して試験ガス供給ライン１に送られ、両者のガスは混合される。そしてこの混合ガスは加湿器１Ｇに送られ、加湿された後に反応管３に導入される。なお、加湿は試験ガスを温水中にバブリングして行い、その時の温水温度は５６℃とした。
【００１８】
反応管３の内部には試験灰３Ａが配置されており、反応管３の外周を覆う電気炉２、温度調節器２Ａ、熱電対２Ｂとにより試験灰３Ａの温度は試験温度に保持される。加湿器１Ｇを経て、試験ガス供給ライン１から反応管３に供給された試験ガスは、反応管３内の試験灰３Ａの触媒反応によりＳＯ2 がＳＯ3 へ転化される。またこの時、Ｈ2 によるＳＯ3 の低減反応も同時に起きる。このような反応により生成したＳＯ3 は、試験ガスライン４へ送られる。試験ガスライン４へ送られたガスの一部は、ガス分析計４Ａへ導入してＳＯ3 濃度を測定する。一方、試験ガスライン４へ送られたガスの残部はガス吸収ビン４Ｂで排ガス処理され、排気ライン４Ｃから屋外に排出される。
試験灰３Ａとしては表１に示す組成の試験用オリマルジョン灰（オリノコタールのエマルジョン燃料を燃焼させた燃焼灰）を使用した。
【００１９】
【表１】
0003790358.tif 000002
【００２０】
図７のＳＯ3 低減反応試験装置を使用した前述の試験方法に準じて、表２に示す条件でＳＯ3 低減反応試験を行った。その試験結果を図９及び図１０に示す。図９はＨ2 添加時及び無添加時の試験ガス中に生じるＳＯ3 濃度と試験温度との関係を示す図であり、図１０は触媒（試験灰）ありでＨ2 無添加の場合のＳＯ3 の生成濃度を基準とした、Ｈ2 添加時のＳＯ3 の低減率と試験温度との関係を示す図である。
図９から、Ｈ2 無添加時（灰触媒あり）に比してＨ2 添加時のＳＯ3 濃度は低下しており、Ｈ2 の添加がＳＯ3 濃度の低減に効果があることがわかる。
【００２１】
また、図１０から、試験温度：３００〜１０００℃、Ｈ2 添加濃度：２００〜８００ｐｐｍにおいて、ＳＯ3 の低減率は約２０％から８０％に達しており、Ｈ2 添加によるＳＯ2 のＳＯ3 への転化率の低減効果は明白である。このようにＳＯ3 の低減剤であるＨ2 を用いるとき、温度は３００から１０００℃において、ＳＯ2 のＳＯ3 への転化の低減と生成したＳＯ3 のＳＯ2 への還元によりＳＯ3 量を低減できることがわかる。なお、図１０の結果において、低温側ほどＳＯ3 低減率が大きいのは、低温側ほどＳＯ3 発生量が少ないので結果的にＨ2 ／ＳＯ3 モル比が大きくなっているためと考えられる。
【００２２】
【表２】
0003790358.tif 000003
【００２３】
（実施例２）
図８は本発明の効果を確認する目的で構成したＳＯ3 低減反応試験装置ＩＩの系統図であり、この装置は二系列の反応管を直列に配置し、ＳＯ3 の低減剤としてＨ2 をそれぞれの反応管入口の試験ガスに各々添加している。図７と同様に試験ガスは、試験ガスボンベ１Ａからバルブ１Ｂ、流量計１Ｃを介して試験ガス供給ライン１ヘ、また、ＳＯ3 の低減剤としてのＨ2 は、Ｈ2 添加ガスボンベ１Ｄから、バルブ１Ｅ、流量計１Ｆを介して試験ガス供給ライン１に送られ、両者のガスは混合される。そしてこの混合ガスは加湿器１Ｇに送られ、加湿された後に反応管３に導入される。なお、加湿は試験ガスを温水中にバブリングして行い、その時の温水温度は５６℃とした。反応管３、３０の内部にはそれぞれ試験灰３Ａ、３０Ａが配置されており、反応管３、３０の外周を覆う電気炉２、２０と温度調節器２Ａ、２０Ａ、熱電対２Ｂ、２０Ｂとにより試験灰３Ａ、３０Ａの温度は試験温度に保持される。
【００２４】
加湿器１Ｇを経て、試験ガス供給ライン１から反応管３に供給された試験ガスは、次に反応管３０に送られる。この反応管３と反応管３０との間の試験ガスにはＳＯ3 の低減剤としてのＨ2 が、Ｈ2 添加ガスボンベ１Ｊから、バルブ１Ｈ、流量計１Ｉを介して添加される。反応管３、３０を通過した試験ガスは、反応管３、３０内の試験灰３Ａ、３０Ａの触媒反応によりＳＯ2 がＳＯ3 へ転化される。またこの時、Ｈ2 によるＳＯ3 の低減反応も同時に起きる。このような反応により生成したＳＯ3 は試験ガスライン４へ送られる。試験ガスライン４へ送られたガスの一部は、ガス分析計４Ａに導入してＳＯ3 濃度を測定する。一方、試験ガスライン４へ送られたガスの残部はガス吸収ビン４Ｂで排ガス処理され、排気ライン４Ｃから屋外に排出される。なお、試験灰３Ａ、３０Ａとしては実施例１で使用したものと同じ表１にしめした組成の試験用オリマルジョン灰を使用した。
【００２５】
図８のＳＯ3 低減反応試験装置を使用して、反応管３のみへＨ2 を添加した場合と、反応管３と反応管３０の両方にＨ2 を添加した場合の実験結果を表３に示した。試験温度は反応管３を７００℃、反応管３０を３５０℃とした。
表３から、Ｈ2 無添加時の反応管３０出口の試験ガスのＳＯ3 濃度は９８ｐｐｍであり、反応管３の前流の試験ガスにＨ2 を８００ｐｐｍ添加した時の反応管３０の出口のＳＯ3 濃度は４６ｐｐｍとなった。この状態で更に反応管３０の前流の試験ガスにＨ2 を４００ｐｐｍ添加した時の反応管３０出口のＳＯ3 濃度は１９ｐｐｍであった。また、反応管３の前流の試験ガスにＨ2 を１２００ｐｐｍ（８００＋４００ｐｐｍ）添加した時の反応管３０の出口のＳＯ3 濃度は４１ｐｐｍであった。
この結果からＨ2 を複数箇所に分けて添加した場合は、同量のＨ2 を１箇所に添加した場合に比較してＳＯ3 の低減効果が更に向上することがわかる。
【００２６】
【表３】
0003790358.tif 000004
【００２７】
【発明の効果】
本発明の方法によれば、化石燃料などの硫黄（Ｓ）分を含有する燃料の燃焼排ガス中のＨ2 ＳＯ4 及びＳＯ3 の濃度を効率よく低減させることができる。これにより、次のような装置上あるいは装置運用上の効果があり、その経済的メリットは極めて大きいものである。
▲１▼ボイラなどの火炉の後流の排ガス煙道、高温伝熱器や空気予熱器などの各種機器類における腐食、灰付着等のトラブルを防止できる。
▲２▼また、酸露点温度の低下により、空気予熱器の出口ガス温度を低下させることができるので、発電用ボイラ等の燃焼装置のエネルギー効率の向上が可能になる。
▲３▼後流の電気集塵機前で注入するＮＨ3 の量を少なくすることができ、ＮＨ3 の注入によって生じるダスト（硫酸アンモニウム：（ＮＨ4 ）2 ＳＯ4 ）の量を減少でき、電気集塵機の負荷・容量を軽減することができる。
▲４▼さらに、Ｈ2 ＳＯ4 及びＳＯ3 に起因した紫煙トラブルも解消できる。
【図面の簡単な説明】
【図１】本発明の第１の実施態様に係る、ボイラにおける燃焼排ガスの流れを示す系統図。
【図２】本発明の第２の実施態様に係る、ボイラにおける燃焼排ガスの流れを示す系統図。
【図３】本発明の第３の実施態様に係る、ボイラにおける燃焼排ガスの流れを示す系統図。
【図４】本発明の第４の実施態様に係る、ボイラにおける燃焼排ガスの流れを示す系統図。
【図５】本発明の第５の実施態様に係る、ボイラにおける燃焼排ガスの流れを示す系統図。
【図６】従来の化石燃料を燃料とする通常の発電用ボイラにおける燃焼排ガスの流れを示す系統図。
【図７】本発明の効果を確認する目的で構成したＳＯ3 低減反応試験装置Ｉ（反応管が一段の例）の系統図。
【図８】本発明の効果を確認する目的で構成したＳＯ3 低減反応試験装置ＩＩ（反応管が二段の例）の系統図。
【図９】実施例１におけるＨ2 添加時及び無添加時の試験ガス中に生じるＳＯ3 濃度と試験温度との関係を示す図。
【図１０】実施例１における触媒（試験灰）ありでＨ2 無添加の場合のＳＯ3 の生成濃度を基準とした、Ｈ2 添加時のＳＯ3 の低減率と試験温度との関係を示す図。
【図１】
0003790358.tif 000005
【図２】
0003790358.tif 000006
【図３】
0003790358.tif 000007
【図４】
0003790358.tif 000008
【図５】
0003790358.tif 000009
【図６】
0003790358.tif 000010
【図７】
0003790358.tif 000011
【図８】
0003790358.tif 000012
【図９】
0003790358.tif 000013
【図１０】
0003790358.tif 000014